(57)【要約】【課題】一対のテーブル半体が誤って展開状態から折畳状態へと折り畳まれることを防ぐことができ、テーブル本体上のお弁当や飲料缶を倒伏して衣服やテーブルを汚してしまったりすることを防ぐことができる。【解決手段】テーブル本体１は一対のテーブル半体１ａ・１ａからなり、テーブル半体はヒンジ部１ｂ・・により二つ折りに折畳自在に枢着され、ヒンジ部に展開状態におけるテーブル半体の不測の折畳動作を防ぐ折畳阻止機構Ｍを設けてなり、折畳阻止機構は相互に係止可能な係止凸部Ｍ４及び係止凹部Ｍ５からなり、係止凸部及び係止凹部を上記一対の各テーブル半体のヒンジ部にそれぞれ形成してなる。【選択図】図１
0003172293.tif 000002
【実用新案登録請求の範囲】
【請求項１】
展開状態から二つ折りに折り畳み可能なテーブル本体、該テーブル本体に差込嵌脱自在な四個の脚体からなり、該テーブル本体を二つ折りに折り畳んだ状態においては、該四個の脚体がテーブル本体内に収納されて該テーブル本体は手提げ部分をもつトランク状となるように構成されてなり、上記テーブル本体は一対のテーブル半体からなり、該テーブル半体はヒンジ部により二つ折りに折畳自在に枢着され、該ヒンジ部に展開状態における該テーブル半体の不測の折畳動作を防ぐ折畳阻止機構を設けてなることを特徴とする折り畳みテーブル。
【請求項２】
上記折畳阻止機構は相互に係止可能な係止凸部及び係止凹部からなり、該係止凸部及び係止凹部を上記一対の各テーブル半体のヒンジ部にそれぞれ形成してなることを特徴とする請求項１記載の折り畳みテーブル。
【請求項３】
上記テーブル本体に飲料缶を収納するカップホルダを差込嵌脱自在に設けると共に該カップホルダは二つ折りに折り畳んだ状態の該テーブル本体内に収納されることを特徴とする請求項１又は２記載の折り畳みテーブル。
【請求項４】
上記テーブル本体に上記カップホルダを差込嵌脱自在とする嵌脱部を設け、該カップホルダは飲料缶を収納する収納凹部及びテーブル本体の嵌脱部に差込嵌脱する差込板部からなることを特徴とする請求項３記載の折り畳みテーブル。
【請求項５】
上記テーブル本体の裏面に上記カップホルダを圧入保持する圧入保持部を形成してなることを特徴とする請求項２〜４のいずれか１項に記載の折り畳みテーブル。
【考案の詳細な説明】
【技術分野】
【０００１】
本考案は、例えば、屋内で絵画の教育を行う際のテーブルとしたり、屋外に携行してハイキング用、レジャー用等のテーブルとして用いられる折り畳みテーブルに関するものである。
【背景技術】
【０００２】
従来、この種の折り畳みテーブルとして、二つ折りに折り畳み可能なテーブル本体と、テーブル本体に差込嵌脱自在な四個の脚体からなり、テーブル本体を折り畳んだ状態においては、四個の脚体がテーブル本体内に収納されて手提げ部分をもつトランク状となる構造のものが知られている。
【先行技術文献】
【特許文献】
【０００３】
【特許文献１】実開昭４９−５９９０６号公報
【特許文献２】特開２００２−２２３８６２
【特許文献３】意匠登録第９１０２７１号
【考案の概要】
【考案が解決しようとする課題】
【０００４】
しかしながらこれら従来構造の場合、ハイキング等での食事や団欒時においては、一対のテーブル半体からなるテーブル本体を一対のテーブル半体が一枚板状となるような展開状態とし、テーブル本体に脚体を差し込み、お弁当やジュースやビール等の飲料缶をテーブル本体上に載置して使用することになり、この際、一対のテーブル半体が誤って展開状態から折畳状態へと折り畳まれようとすると、テーブル本体上のお弁当や飲料缶を倒伏して衣服やテーブルを汚してしまったりすることになり、それだけ、使用の快適性を低下させることがあるという不都合を有している。
【課題を解決するための手段】
【０００５】
本考案はこれらの不都合を解決することを目的とするもので、本考案のうちで、請求項１記載の考案は、展開状態から二つ折りに折り畳み可能なテーブル本体、該テーブル本体に差込嵌脱自在な四個の脚体からなり、該テーブル本体を二つ折りに折り畳んだ状態においては、該四個の脚体がテーブル本体内に収納されて該テーブル本体は手提げ部分をもつトランク状となるように構成されてなり、上記テーブル本体は一対のテーブル半体からなり、該テーブル半体はヒンジ部により二つ折りに折畳自在に枢着され、該ヒンジ部に展開状態における該テーブル半体の不測の折畳動作を防ぐ折畳阻止機構を設けてなることを特徴とする折り畳みテーブルにある。
【０００６】
又、請求項２記載の考案は、上記折畳阻止機構は相互に係止可能な係止凸部及び係止凹部からなり、該係止凸部及び係止凹部を上記一対の各テーブル半体のヒンジ部にそれぞれ形成してなることを特徴とするものであり、又、請求項３記載の考案は、上記テーブル本体に飲料缶を収納するカップホルダを差込嵌脱自在に設けると共に該カップホルダは二つ折りに折り畳んだ状態の該テーブル本体内に収納されることを特徴とするものであり、又、請求項４記載の考案は、上記テーブル本体に上記カップホルダを差込嵌脱自在とする嵌脱部を設け、該カップホルダは飲料缶を収納する収納凹部及びテーブル本体の嵌脱部に差込嵌脱する差込板部からなることを特徴とするものであり、又、請求項５記載の考案は、上記テーブル本体の裏面に上記カップホルダを圧入保持する圧入保持部を形成してなることを特徴とするものである。
【考案の効果】
【０００７】
本考案は上述の如く、請求項１記載の考案にあっては、テーブル本体に四個の脚体を差込嵌脱して使用することができ、屋内で絵画の教育を行う際等のテーブルとして用いることができると共にテーブル本体を二つ折りに折り畳むことができ、テーブル本体を二つ折りに折り畳んだ状態においては、四個の脚体がテーブル本体内に収納され、テーブル本体は手提げ部分をもつトランク状となり、屋外に携行してハイキングやレジャー等のテーブルとして使用する際や保管する際の利便性を向上することができ、かつ、上記テーブル本体は一対のテーブル半体からなり、テーブル半体はヒンジ部により二つ折りに折畳自在に枢着され、ヒンジ部に展開状態におけるテーブル半体の不測の折畳動作を防ぐ折畳阻止機構を設けているから、一対のテーブル半体が誤って展開状態から折畳状態へと折り畳まれることを防ぐことができ、テーブル本体上のお弁当や飲料缶を倒伏して衣服やテーブルを汚してしまったりすることを防ぐことができ、それだけ、使用の快適性を向上することができる。
【０００８】
又、請求項２記載の考案にあっては、上記折畳阻止機構は相互に係止可能な係止凸部及び係止凹部からなり、係止凸部及び係止凹部を上記一対の各テーブル半体のヒンジ部にそれぞれ形成してなるから、構造を簡素化することができ、又、請求項３記載の考案にあっては、上記テーブル本体に飲料缶を収納するカップホルダを差込嵌脱自在に設けると共にカップホルダは二つ折りに折り畳んだ状態のテーブル本体内に収納されるので、ハイキングやレジャー等での食事や団欒時において、ジュースやビール等の飲料缶をカップホルダに収納することができて飲料缶を誤って倒伏させてしまうことを防ぐことができ、使用の快適性を向上することができ、又、請求項４記載の考案にあっては、上記テーブル本体に上記カップホルダを差込嵌脱自在とする嵌脱部を設け、カップホルダは飲料缶を収納する収納凹部及びテーブル本体の嵌脱部に差込嵌脱する差込板部からなるので、カップホルダの脚体に対する差込嵌脱構造を簡素化することができ、又、請求項５記載の考案にあっては、上記テーブル本体の裏面に上記カップホルダを圧入保持する圧入保持部を形成してなるから、テーブル本体とカップホルダとの差込嵌脱を確実に行うことができ、カップホルダをテーブル本体に確実に収納することができる。
【図面の簡単な説明】
【０００９】
【図１】本考案の実施の形態例の全体斜視図である。
【図２】本考案の実施の形態例の展開状態の全体裏面図である。
【図３】本考案の実施の形態例の折畳状態の全体斜視図である。
【図４】本考案の実施の形態例の折畳状態の全体斜視図である。
【図５】本考案の実施の形態例の折畳状態の側面図である。
【図６】本考案の実施の形態例の折畳状態の側面斜視図である。
【図７】本考案の実施の形態例の折畳状態の側面図である。
【図８】本考案の実施の形態例の折畳状態の側断面図である。
【図９】本考案の実施の形態例の展開状態の側面図である。
【図１０】本考案の実施の形態例の展開状態の側断面図である。
【図１１】本考案の実施の形態例の部分側断面図である。
【考案を実施するための形態】
【００１０】
図１乃至図１１は本考案の実施の形態例を示し、１はテーブル本体であって、展開状態から二つ折りに折り畳み可能に構成されている。この場合、上記テーブル本体１は、一対のテーブル半体１ａ・１ａをヒンジ部１ｂ・・及び止着部１ｃ・１ｃにより折畳開閉自在に設けられている。
【００１１】
２は脚体であって、この場合、四個の脚体２・２・・からなり、脚体２の上部の二股部分は上記テーブル本体１の一対の差込穴部１ｇ・１ｇに差込嵌脱自在に形成されている。
【００１２】
そして、図４の如く、上記テーブル本体１を二つ折りに折り畳んだ状態においては、四個の脚体２・２・・がテーブル本体１内に収納されてテーブル本体１は手提げ部分１ｄ・１ｄをもつトランク状となるように構成されている。
【００１３】
Ｍは折畳阻止機構であって、図４、図５、図６の如く、上記ヒンジ部１ｂ・・に設けられ、上記テーブル半体１ａ・１ａの不測の折畳動作を防ぐ構造となっている。
【００１４】
この場合、上記折畳阻止機構Ｍとして、図７、図８、図９、図１０の如く、上記ヒンジ部１ｂを構成する突板Ｍ１・・を上記一対のテーブル半体１ａ・１ａにそれぞれ対向一対宛四組形成し、対向一対の突板Ｍ１・・にピン部Ｍ２及び穴部Ｍ３を形成し、ピン部Ｍ２及び穴部Ｍ３の嵌合により一対のテーブル半体１ａ・１ａを展開折畳自在に設け、かつ、突板Ｍ１・・に相互に係止可能な係止凸部Ｍ４及び係止凹部Ｍ５からなる折畳阻止機構Ｍの係止凸部Ｍ４及び係止凹部Ｍ５を上記一対の各テーブル半体１ａ・１ａのヒンジ部１ｂ・１ｂの突板Ｍ１・・にそれぞれ形成し、ピン部Ｍ２及び穴部Ｍ３の嵌合により一対のテーブル半体１ａ・１ａを図７、図８の折畳状態から図９、図１０の展開状態へと展開したとき、係止凸部Ｍ４及び係止凹部Ｍ５とが相互に係止し、図９、図１０の展開状態から折り畳み動作をするには係止凸部Ｍ４が係止凹部Ｍ５から乗り上げて抜け出る必要があり、よって、この係止凸部Ｍ４及び係止凹部Ｍ５との相互の係止により展開状態からの不測の折り畳み動作を防ぐよう構成している。
【００１５】
３はカップホルダであって、図１、図１１の如く、ジュースやビール等の飲料缶Ｗを収納自在に形成され、テーブル本体１に差込嵌脱自在に設けられると共にこのカップホルダ３は二つ折りに折り畳んだ状態の上記テーブル本体１内に収納される。
【００１６】
この場合、図１１の如く、上記テーブル本体１に上記カップホルダ３を差込嵌脱自在とする嵌脱部１ｅが形成され、カップホルダ３は飲料缶Ｗを収納する収納凹部３ａ及びテーブル本体１の嵌脱部に差込嵌脱する差込板部３ｂからなる。
【００１７】
又、この場合、図２の如く、上記テーブル本体１の裏面に上記カップホルダ３の底穴３ｃに圧挿入されてカップホルダ３を保持するカップホルダ３の底板の厚さと略同じ高さの円形筒状の圧入保持部１ｆ・・を形成している。
【００１８】
この実施の形態例は上記構成であるから、図１の如く、テーブル本体１に四個の脚体２・２・・を差込嵌脱して使用することができ、屋内で絵画の教育を行う際等のテーブルとして用いることができると共に、図３の如く、テーブル本体１を二つ折りに折り畳むことができ、テーブル本体１を二つ折りに折り畳んだ状態においては、四個の脚体２・２・・がテーブル本体１内に収納され、テーブル本体１は手提げ部分１ｄ・１ｄをもつトランク状となり、屋外に携行してハイキングやレジャー用等のテーブルとして用いる際や保管する際の利便性を向上することができ、かつ、上記テーブル本体１は一対のテーブル半体１ａ・１ａからなり、テーブル半体１ａ・１ａはヒンジ部１ｂ・・により二つ折りに折畳自在に枢着され、ヒンジ部１ｂ・・に展開状態におけるテーブル半体１ａ・１ａの不測の折畳動作を防ぐ折畳阻止機構Ｍを設けているから、一対のテーブル半体１ａ・１ａが誤って展開状態から折畳状態へと折り畳まれることを防ぐことができ、テーブル本体１上のお弁当や飲料缶Ｗを倒伏して衣服やテーブルを汚してしまったりすることを防ぐことができ、それだけ、使用の快適性を向上することができる。
【００１９】
この場合、上記折畳阻止機構Ｍは相互に係止可能な係止凸部Ｍ４及び係止凹部Ｍ５からなり、係止凸部Ｍ４及び係止凹部Ｍ５を上記一対の各テーブル半体１ａ・１ａのヒンジ部１ｂ・１ｂにそれぞれ形成してなるから、構造を簡素化することができ、又、この場合、上記テーブル本体１に飲料缶Ｗを収納するカップホルダ３を差込嵌脱自在に設けると共にカップホルダ３は二つ折りに折り畳んだ状態のテーブル本体１内に収納されるので、ハイキングやレジャー等での食事や団欒時において、ジュースやビール等の飲料缶Ｗをカップホルダ３に収納することができて飲料缶Ｗを誤って倒伏させてしまうことを防ぐことができ、使用の快適性を向上することができ、又、この場合、上記テーブル本体１に上記カップホルダ３を差込嵌脱自在とする嵌脱部１ｅを設け、カップホルダ３は飲料缶Ｗを収納する収納凹部３ａ及びテーブル本体１の嵌脱部１ｅに差込嵌脱する差込板部３ｂからなるので、カップホルダ３の脚体２に対する差込嵌脱構造を簡素化することができ、又、この場合、上記テーブル本体１の裏面に上記カップホルダ３を圧入保持する圧入保持部１ｆを形成してなるから、テーブル本体１とカップホルダ３との差込嵌脱を確実に行うことができ、カップホルダ３をテーブル本体１に確実に収納することができる。
【００２０】
尚、本考案は上記実施の形態例のものに限られず、例えば、テーブル本体１、脚体２、カップホルダ３、折畳阻止機構Ｍの形態や数、配置位置、構造は適宜変更して設計されるものである。
【００２１】
以上の如く、所期の目的を充分達成することができる。
【符号の説明】
【００２２】
Ｍ    折畳阻止機構
Ｍ４    係止凸部
Ｍ５    係止凹部
Ｗ    飲料缶
１    テーブル本体
１ａ    テーブル半体
１ｂ    ヒンジ部
１ｄ    手提げ部分
１ｅ    嵌脱部
１ｆ    圧入保持部
２    脚体
３    カップホルダ
３ａ    収納凹部
３ｂ    差込板部
【図１】
0003172293.tif 000003
【図２】
0003172293.tif 000004
【図３】
0003172293.tif 000005
【図４】
0003172293.tif 000006
【図５】
0003172293.tif 000007
【図６】
0003172293.tif 000008
【図７】
0003172293.tif 000009
【図８】
0003172293.tif 000010
【図９】
0003172293.tif 000011
【図１０】
0003172293.tif 000012
【図１１】
0003172293.tif 000013
【手続補正書】
【提出日】平成23年10月12日(2011.10.12)
【手続補正１】
【補正対象書類名】実用新案登録請求の範囲
【補正対象項目名】全文
【補正方法】変更
【補正の内容】
【実用新案登録請求の範囲】
【請求項１】
展開状態から二つ折りに折り畳み可能なテーブル本体、該テーブル本体に差込嵌脱自在な四個の脚体からなり、該テーブル本体を二つ折りに折り畳んだ状態においては、該四個の脚体がテーブル本体内に収納されて該テーブル本体は手提げ部分をもつトランク状となるように構成されてなり、上記テーブル本体は一対のテーブル半体からなり、該テーブル半体はヒンジ部により二つ折りに折畳自在に枢着され、該ヒンジ部に展開状態における該テーブル半体の不測の折畳動作を防ぐ折畳阻止機構を設けてなり、上記折畳阻止機構は相互に係止可能な係止凸部及び係止凹部からなり、該係止凸部及び係止凹部を上記一対の各テーブル半体のヒンジ部にそれぞれ形成してなることを特徴とする折り畳みテーブル。
【請求項２】
上記テーブル本体に飲料缶を収納するカップホルダを差込嵌脱自在に設けると共に該カップホルダは二つ折りに折り畳んだ状態の該テーブル本体内に収納されることを特徴とする請求項１記載の折り畳みテーブル。
【請求項３】
上記テーブル本体に上記カップホルダを差込嵌脱自在とする嵌脱部を設け、該カップホルダは飲料缶を収納する収納凹部及びテーブル本体の嵌脱部に差込嵌脱する差込板部からなることを特徴とする請求項２記載の折り畳みテーブル。
【請求項４】
上記テーブル本体の裏面に上記カップホルダを圧入保持する圧入保持部を形成してなることを特徴とする請求項２又は３記載の折り畳みテーブル。
【手続補正２】
【補正対象書類名】明細書
【補正対象項目名】全文
【補正方法】変更
【補正の内容】
【考案の詳細な説明】
【技術分野】
【０００１】
本考案は、例えば、屋内で絵画の教育を行う際のテーブルとしたり、屋外に携行してハイキング用、レジャー用等のテーブルとして用いられる折り畳みテーブルに関するものである。
【背景技術】
【０００２】
従来、この種の折り畳みテーブルとして、二つ折りに折り畳み可能なテーブル本体と、テーブル本体に差込嵌脱自在な四個の脚体からなり、テーブル本体を折り畳んだ状態においては、四個の脚体がテーブル本体内に収納されて手提げ部分をもつトランク状となる構造のものが知られている。
【先行技術文献】
【特許文献】
【０００３】
【特許文献１】実開昭４９−５９９０６号公報
【特許文献２】特開２００２−２２３８６２
【特許文献３】意匠登録第９１０２７１号
【考案の概要】
【考案が解決しようとする課題】
【０００４】
しかしながらこれら従来構造の場合、ハイキング等での食事や団欒時においては、一対のテーブル半体からなるテーブル本体を一対のテーブル半体が一枚板状となるような展開状態とし、テーブル本体に脚体を差し込み、お弁当やジュースやビール等の飲料缶をテーブル本体上に載置して使用することになり、この際、一対のテーブル半体が誤って展開状態から折畳状態へと折り畳まれようとすると、テーブル本体上のお弁当や飲料缶を倒伏して衣服やテーブルを汚してしまったりすることになり、それだけ、使用の快適性を低下させることがあるという不都合を有している。
【課題を解決するための手段】
【０００５】
本考案はこれらの不都合を解決することを目的とするもので、本考案のうちで、請求項１記載の考案は、展開状態から二つ折りに折り畳み可能なテーブル本体、該テーブル本体に差込嵌脱自在な四個の脚体からなり、該テーブル本体を二つ折りに折り畳んだ状態においては、該四個の脚体がテーブル本体内に収納されて該テーブル本体は手提げ部分をもつトランク状となるように構成されてなり、上記テーブル本体は一対のテーブル半体からなり、該テーブル半体はヒンジ部により二つ折りに折畳自在に枢着され、該ヒンジ部に展開状態における該テーブル半体の不測の折畳動作を防ぐ折畳阻止機構を設けてなり、上記折畳阻止機構は相互に係止可能な係止凸部及び係止凹部からなり、該係止凸部及び係止凹部を上記一対の各テーブル半体のヒンジ部にそれぞれ形成してなることを特徴とする折り畳みテーブルにある。
【０００６】
又、請求項２記載の考案は、上記テーブル本体に飲料缶を収納するカップホルダを差込嵌脱自在に設けると共に該カップホルダは二つ折りに折り畳んだ状態の該テーブル本体内に収納されることを特徴とするものであり、又、請求項３記載の考案は、上記テーブル本体に上記カップホルダを差込嵌脱自在とする嵌脱部を設け、該カップホルダは飲料缶を収納する収納凹部及びテーブル本体の嵌脱部に差込嵌脱する差込板部からなることを特徴とするものであり、又、請求項４記載の考案は、上記テーブル本体の裏面に上記カップホルダを圧入保持する圧入保持部を形成してなることを特徴とするものである。
【考案の効果】
【０００７】
本考案は上述の如く、請求項１記載の考案にあっては、テーブル本体に四個の脚体を差込嵌脱して使用することができ、屋内で絵画の教育を行う際等のテーブルとして用いることができると共にテーブル本体を二つ折りに折り畳むことができ、テーブル本体を二つ折りに折り畳んだ状態においては、四個の脚体がテーブル本体内に収納され、テーブル本体は手提げ部分をもつトランク状となり、屋外に携行してハイキングやレジャー等のテーブルとして使用する際や保管する際の利便性を向上することができ、かつ、上記テーブル本体は一対のテーブル半体からなり、テーブル半体はヒンジ部により二つ折りに折畳自在に枢着され、ヒンジ部に展開状態におけるテーブル半体の不測の折畳動作を防ぐ折畳阻止機構を設けているから、一対のテーブル半体が誤って展開状態から折畳状態へと折り畳まれることを防ぐことができ、テーブル本体上のお弁当や飲料缶を倒伏して衣服やテーブルを汚してしまったりすることを防ぐことができ、それだけ、使用の快適性を向上することができ、上記折畳阻止機構は相互に係止可能な係止凸部及び係止凹部からなり、係止凸部及び係止凹部を上記一対の各テーブル半体のヒンジ部にそれぞれ形成してなるから、構造を簡素化することができる。
【０００８】
又、請求項２記載の考案にあっては、上記テーブル本体に飲料缶を収納するカップホルダを差込嵌脱自在に設けると共にカップホルダは二つ折りに折り畳んだ状態のテーブル本体内に収納されるので、ハイキングやレジャー等での食事や団欒時において、ジュースやビール等の飲料缶をカップホルダに収納することができて飲料缶を誤って倒伏させてしまうことを防ぐことができ、使用の快適性を向上することができ、又、請求項３記載の考案にあっては、上記テーブル本体に上記カップホルダを差込嵌脱自在とする嵌脱部を設け、カップホルダは飲料缶を収納する収納凹部及びテーブル本体の嵌脱部に差込嵌脱する差込板部からなるので、カップホルダの脚体に対する差込嵌脱構造を簡素化することができ、又、請求項４記載の考案にあっては、上記テーブル本体の裏面に上記カップホルダを圧入保持する圧入保持部を形成してなるから、テーブル本体とカップホルダとの差込嵌脱を確実に行うことができ、カップホルダをテーブル本体に確実に収納することができる。
【図面の簡単な説明】
【０００９】
【図１】本考案の実施の形態例の全体斜視図である。
【図２】本考案の実施の形態例の展開状態の全体裏面図である。
【図３】本考案の実施の形態例の折畳状態の全体斜視図である。
【図４】本考案の実施の形態例の折畳状態の全体斜視図である。
【図５】本考案の実施の形態例の折畳状態の側面図である。
【図６】本考案の実施の形態例の折畳状態の側面斜視図である。
【図７】本考案の実施の形態例の折畳状態の側面図である。
【図８】本考案の実施の形態例の折畳状態の側断面図である。
【図９】本考案の実施の形態例の展開状態の側面図である。
【図１０】本考案の実施の形態例の展開状態の側断面図である。
【図１１】本考案の実施の形態例の部分側断面図である。
【考案を実施するための形態】
【００１０】
図１乃至図１１は本考案の実施の形態例を示し、１はテーブル本体であって、展開状態から二つ折りに折り畳み可能に構成されている。この場合、上記テーブル本体１は、一対のテーブル半体１ａ・１ａをヒンジ部１ｂ・・及び止着部１ｃ・１ｃにより折畳開閉自在に設けられている。
【００１１】
２は脚体であって、この場合、四個の脚体２・２・・からなり、脚体２の上部の二股部分は上記テーブル本体１の一対の差込穴部１ｇ・１ｇに差込嵌脱自在に形成されている。
【００１２】
そして、図４の如く、上記テーブル本体１を二つ折りに折り畳んだ状態においては、四個の脚体２・２・・がテーブル本体１内に収納されてテーブル本体１は手提げ部分１ｄ・１ｄをもつトランク状となるように構成されている。
【００１３】
Ｍは折畳阻止機構であって、図４、図５、図６の如く、上記ヒンジ部１ｂ・・に設けられ、上記テーブル半体１ａ・１ａの不測の折畳動作を防ぐ構造となっている。
【００１４】
この場合、上記折畳阻止機構Ｍとして、図７、図８、図９、図１０の如く、上記ヒンジ部１ｂを構成する突板Ｍ１・・を上記一対のテーブル半体１ａ・１ａにそれぞれ対向一対宛四組形成し、対向一対の突板Ｍ１・・にピン部Ｍ２及び穴部Ｍ３を形成し、ピン部Ｍ２及び穴部Ｍ３の嵌合により一対のテーブル半体１ａ・１ａを展開折畳自在に設け、かつ、突板Ｍ１・・に相互に係止可能な係止凸部Ｍ４及び係止凹部Ｍ５からなる折畳阻止機構Ｍの係止凸部Ｍ４及び係止凹部Ｍ５を上記一対の各テーブル半体１ａ・１ａのヒンジ部１ｂ・１ｂの突板Ｍ１・・にそれぞれ形成し、ピン部Ｍ２及び穴部Ｍ３の嵌合により一対のテーブル半体１ａ・１ａを図７、図８の折畳状態から図９、図１０の展開状態へと展開したとき、係止凸部Ｍ４及び係止凹部Ｍ５とが相互に係止し、図９、図１０の展開状態から折り畳み動作をするには係止凸部Ｍ４が係止凹部Ｍ５から乗り上げて抜け出る必要があり、よって、この係止凸部Ｍ４及び係止凹部Ｍ５との相互の係止により展開状態からの不測の折り畳み動作を防ぐよう構成している。
【００１５】
３はカップホルダであって、図１、図１１の如く、ジュースやビール等の飲料缶Ｗを収納自在に形成され、テーブル本体１に差込嵌脱自在に設けられると共にこのカップホルダ３は二つ折りに折り畳んだ状態の上記テーブル本体１内に収納される。
【００１６】
この場合、図１１の如く、上記テーブル本体１に上記カップホルダ３を差込嵌脱自在とする嵌脱部１ｅが形成され、カップホルダ３は飲料缶Ｗを収納する収納凹部３ａ及びテーブル本体１の嵌脱部に差込嵌脱する差込板部３ｂからなる。
【００１７】
又、この場合、図２の如く、上記テーブル本体１の裏面に上記カップホルダ３の底穴３ｃに圧挿入されてカップホルダ３を保持するカップホルダ３の底板の厚さと略同じ高さの円形筒状の圧入保持部１ｆ・・を形成している。
【００１８】
この実施の形態例は上記構成であるから、図１の如く、テーブル本体１に四個の脚体２・２・・を差込嵌脱して使用することができ、屋内で絵画の教育を行う際等のテーブルとして用いることができると共に、図３の如く、テーブル本体１を二つ折りに折り畳むことができ、テーブル本体１を二つ折りに折り畳んだ状態においては、四個の脚体２・２・・がテーブル本体１内に収納され、テーブル本体１は手提げ部分１ｄ・１ｄをもつトランク状となり、屋外に携行してハイキングやレジャー用等のテーブルとして用いる際や保管する際の利便性を向上することができ、かつ、上記テーブル本体１は一対のテーブル半体１ａ・１ａからなり、テーブル半体１ａ・１ａはヒンジ部１ｂ・・により二つ折りに折畳自在に枢着され、ヒンジ部１ｂ・・に展開状態におけるテーブル半体１ａ・１ａの不測の折畳動作を防ぐ折畳阻止機構Ｍを設けているから、一対のテーブル半体１ａ・１ａが誤って展開状態から折畳状態へと折り畳まれることを防ぐことができ、テーブル本体１上のお弁当や飲料缶Ｗを倒伏して衣服やテーブルを汚してしまったりすることを防ぐことができ、それだけ、使用の快適性を向上することができ、上記折畳阻止機構Ｍは相互に係止可能な係止凸部Ｍ４及び係止凹部Ｍ５からなり、係止凸部Ｍ４及び係止凹部Ｍ５を上記一対の各テーブル半体１ａ・１ａのヒンジ部１ｂ・１ｂにそれぞれ形成してなるから、構造を簡素化することができる。
【００１９】
又、この場合、上記テーブル本体１に飲料缶Ｗを収納するカップホルダ３を差込嵌脱自在に設けると共にカップホルダ３は二つ折りに折り畳んだ状態のテーブル本体１内に収納されるので、ハイキングやレジャー等での食事や団欒時において、ジュースやビール等の飲料缶Ｗをカップホルダ３に収納することができて飲料缶Ｗを誤って倒伏させてしまうことを防ぐことができ、使用の快適性を向上することができ、又、この場合、上記テーブル本体１に上記カップホルダ３を差込嵌脱自在とする嵌脱部１ｅを設け、カップホルダ３は飲料缶Ｗを収納する収納凹部３ａ及びテーブル本体１の嵌脱部１ｅに差込嵌脱する差込板部３ｂからなるので、カップホルダ３の脚体２に対する差込嵌脱構造を簡素化することができ、又、この場合、上記テーブル本体１の裏面に上記カップホルダ３を圧入保持する圧入保持部１ｆを形成してなるから、テーブル本体１とカップホルダ３との差込嵌脱を確実に行うことができ、カップホルダ３をテーブル本体１に確実に収納することができる。
【００２０】
尚、本考案は上記実施の形態例のものに限られず、例えば、テーブル本体１、脚体２、カップホルダ３、折畳阻止機構Ｍの形態や数、配置位置、構造は適宜変更して設計されるものである。
【００２１】
以上の如く、所期の目的を充分達成することができる。
【符号の説明】
【００２２】
Ｍ    折畳阻止機構
Ｍ４    係止凸部
Ｍ５    係止凹部
Ｗ    飲料缶
１    テーブル本体
１ａ    テーブル半体
１ｂ    ヒンジ部
１ｄ    手提げ部分
１ｅ    嵌脱部
１ｆ    圧入保持部
２    脚体
３    カップホルダ
３ａ    収納凹部
３ｂ    差込板部